(57)【特許請求の範囲】
【請求項１】
駆動装置より回動するよう円形沈殿池に設けたスカムスクレーパと、このスクレーパより吊垂しスカムスクレーパと共に旋回する汚泥掻寄用フライトと、スカムスクレーパの取付用アームに支持し、このアームの回動を動力源としスカムスクレーパにより生じる水流方向と反対方向の水流が生じるように回動するパドルとより構成し、水面に浮遊するスカムをスカムスクレーパによる連れ回りを防止して収集するようにしたことを特徴とする円形沈殿池におけるスカムの効率的除去装置。
【請求項２】
スカムスクレーパ、パドルを、スカムスクレーパの回動にてスカムが収集されるとき、スカムが円形沈殿池の外周方向に流れる方向に角度をつけたことを特徴とする請求項１記載の円形沈殿池に於けるスカムの効率的除去装置。
【発明の詳細な説明】
【０００１】
【発明の属する技術分野】
本発明は、円形沈殿池に於けるスカムの効率的除去装置、特に円形沈殿池の水面位置のスカムスクレーパ及び池内底部に吊垂支持した汚泥              掻寄用フライトの周回運動にて生じる水流による水面に浮遊するスカムの連れ回りを防止してスカムスクレーパにて確実に収集して排除するようにした円形沈殿池に於けるスカムの効率的除去装置に関するものである。
【０００２】
【従来の技術】
従来、円形沈殿池において池底に沈殿する汚泥、汚砂等の固形分と、水面に浮遊するスカムとを分離して除去するものとして図１に示すような円形沈殿池に水面位置に駆動装置にて回動するアームを配設し、このアームにスカムスクレーパを取り付け、スクレーパより吊垂索条を介して池底部に汚泥掻寄用フライトを吊垂支持し、スクレーパと汚泥掻寄用フライトをともに池内で旋回移動して行っている。
【０００３】
【発明が解決しようとする課題】
上記従来の円形沈殿池に於けるスカムの除去装置には、水面位置にあるアームに支持したスカムスクレーパを旋回させるとこれに吊垂支持した池底の汚泥掻寄用フライトも同方向に旋回運動を行う。この場合、汚泥掻き寄せ速度で定まるアームの回転速度が遅く、したがつてスカムスクレーパを同速度で回転しても円形沈殿池内に一定方向の水流が発生し、この水流に乗って浮遊スカムも連れ回って旋回し、スカムスクレーパで掻き寄せることができない、という問題点があった。
本発明は、上記従来の円形沈殿池に於けるスカムの効率的除去装置の有する問題点を解決し、スカムスクレーパを取り付けたアームの回転を動力源としてスクノレーパの動きと反対方向の水流が発生する方向に回転するパドルを設けて、これによりスカムをより積極的にスクレーパにて収集排除することができる円形沈殿池に於けるスカムの効率的除去装置を提供することを目的とする。
【０００４】
【課題を解決するための手段】
上記目的を達成するため、本発明の円形沈殿池に於けるスカムの効率的除去装置は、駆動装置より回動するよう円形沈殿池に設けたスカムスクレーパと、このスクレーパより吊垂しスカムスクレーパと共に旋回する汚泥掻寄用フライトと、スカムスクレーパの取付用アームに支持し、このアームの回動を動力源としスカムスクレーパにより生じる水流方向と反対方向の水流が生じるように回動するパドルとより構成し、水面に浮遊するスカムをスカムスクレーパによる連れ回りを防止して収集するようにしたことを特徴とする。
【０００５】
上記の構成からなる本発明の円形沈殿池に於けるスカムの効率的除去装置は、アームに吊垂したスカムスクレーパ及び池底部の汚泥掻寄用フライトの旋回にて水面に浮遊するスカム、池底に沈殿した沈殿を掻き寄せ排出する場合、このスカムスクレーパにて発生する水流にて浮遊スカムの連れ回りが生じるようになるが、水面位置に配したパドルを取り付けたパドル軸がスカムスクレーパの回動にて回動し、このパドルの回転にて生じるスカムスクレーパの進行方向と反対方向の水流にて浮遊スカムの連れ回りが阻止できるので、浮遊スカムの掻き寄せ排出が確実に行えるものとなる。
【０００６】
この場合において、スカムスクレーパ、パドルを、スカムスクレーパの回動にてスカムが収集されるとき、スカムが円形沈殿池の外周方向に流れる方向に角度をつけることができる。
【０００７】
上記の構成からなる本発明の円形沈殿池に於けるスカムの効率的除去装置は、スカムスクレーパ及びパドルをともにスカムが外周方向に流れる方向に角度をつけているので、スクレーパ、パドルの回転によって浮遊スカムは自然に円形沈殿池の外周方向にあるスカム排出トラフへ流れてスカムの排出が容易に行えるものとなる。
【０００８】
【発明の実施の形態】
以下、本発明の円形沈殿池に於けるスカムの効率的除去装置の実施の形態を図面に基づいて説明する。
図において１は、所要の形と容量とを有する円形沈殿池で、この円形沈殿池１の底部中央には汚泥ピット２を配置し、池底に沈降する汚泥を汚泥掻寄用フライトの回動にて汚泥ピット内へ収集し池外へ排出できるようにする。
【０００９】
また、この円形沈殿池１の上部には架台３を配設し、この架台３にモータ及び減速機からなる駆動装置４を設けてこの駆動装置の旋回軸５に取り付けたアーム６を水平を保持しつつ予め定めた速度にて旋回運動を行うようにすると共に、アームの下面には取付具７を介してほぼ水面位置にスカムスクレーパ８を吊垂支持する。そしてこのアームが円滑に円形沈殿池上端部にて正確に旋回するようアーム先端下部にブラケット９を取り付け、このブラケットにアーム支持ホイール１１を備え、円形沈殿池内周面にレール取付台２２に支持されたレール１８にて支持し、これによりアーム６が旋回する際、アーム支持ホイール１１が転動して、このホイールに直結したパドル軸を同調して回動するようにする。
【００１０】
ブラケットに回動自在に支持されたパドル軸１０は指定の長さを備え、かつこのパドル軸に複数のパドル１２、１２、１２を夫々その取付角・位置を変えて突設すると共に、アームがレールに沿って旋回する際、アーム支持ホイールはレール上で摺転動し、これによりアーム及びスカムスクレーパの旋回方向と反対の流れ方向の水流を発生させて、水面に浮遊するスカムをスカムスクレーパの旋回により生じる水流方向による連れ回りを防止してスカムスクレーパによる収集を確実にする。
【００１１】
スカムスクレーパを備えたアームには複数本の索条１３，１３を吊垂して索条の下端を汚泥掻寄用フライト１４に締結して池底に汚泥掻寄用フライト１４を支持すると共に、この汚泥掻寄用フライト１４の先端にガイドローラ１５を突設し、このガイドドローラを円形沈殿池の内周面に当接させてアームの旋回時、索条を介して汚泥掻寄用フライト１４が池底で正確に旋回し池底に沈殿した汚泥を汚泥ピット内に掻き寄せるようにする。
【００１２】
なお、円形沈殿池の中央には汚水供給管１６を配設し、この水供給管１６の上端に整流給水口筒１７を配設して汚水を円形沈殿池内に均一にして池底部に向かう水流となるように供給すると共に、スカム及び汚泥を除去した後の処理水を円形沈殿池の水面位置でその内周面に配設した越流トラフ１９より排出する。また、スカムは円形沈殿池内周面に配置したスカムボックス２０よりスカムスクレーパにて掻き寄せて排出するものである。２１はこのスカムボックスに配した排出管である。
【００１３】
従って上述のごとく構成する円形沈殿池に於けるスカムの効率的除去装置において、駆動装置４にてアーム６を旋回駆動すると、これに取り付けたスカムスクレーパ８及び索条１３に吊垂支持された汚泥掻寄用フライト１４も共に回動する。このスカムスクレーパ８にて水面にスカムスクレーパの進行方向に水流が発生するが、このアームにはアーム旋回にてレール上を転動するアーム支持ホイールに取り付けたパドル軸１０も回動する。このパドル軸の回動は、スカムスクレーパの進行方向により生じる水流方向と逆方向の水流が生じるようにパドルが複数個突設しているので、このパドルの回動による水流にてスカムスクレーパにより水流を打ち消すようになり、浮遊するスカムがスカムスクレーパにて容易に収集されるようになる。しかもパドル、スカムスクレーパの角度をスカムを外周方向へ移動させるようにしているので、浮遊スカムは容易にスカムボックス側へ移送され回収排出されるものとなる。
【００１４】
【発明の効果】
本発明の円形沈殿池に於けるスカムの効率的除去装置によれば、アームに吊垂したスカムスクレーパ及び池底部の汚泥掻寄用フライトの旋回にて水面に浮遊するスカム、池底に沈殿した沈殿を掻き寄せ排出する場合、このスカムスクレーパにて発生する水流にて浮遊スカムの連れ回りを、水面位置に配したパドルの回転にて生じるスカムスクレーパの進行方向と反対方向の水流にて阻止できるので、浮遊スカムの掻き寄せ排出が確実に行える。
【００１５】
また、本発明の請求項２に記載した円形沈殿池に於けるスカムの効率的除去装置によれば、スカムスクレーパ及びパドルに、スカムが円形沈殿池の外周方向に流れる方向に角度をつけているので、スカムはスカムスクレーパの回動にて確実に円形沈殿池外周面方向に収集され、スカムボックスからの排出が確実に行える。
【図面の簡単な説明】
【図１】本発明の円形沈殿池に於けるスカムの効率的除去装置の第１実施例を示す縦断面図である。
【図２】本発明の円形沈殿池に於けるスカムの効率的除去装置の平面図である。
【図３】同要部の拡大説明図である。
【符号の説明】
１    円形沈殿池
２    汚泥ピット
４    駆動装置
６    アーム
８    スカムスクレーパ
１０  パドル軸
１１  アーム支持ホイール
１２  パドル
１３  索条
１４  汚泥掻寄用フライト
２０  スカムボックス
【図１】
0003961075.tif 000002
【図２】
0003961075.tif 000003
【図３】
0003961075.tif 000004